(57)【要約】【課題】メカニカルキーと、ロック機構の施錠状態および解錠状態を切替えるための無線信号の発信が可能な発信ユニットがケースに内蔵されて成る携帯機とで構成されるキーユニットにおいて、携帯機およびメカニカルキーをコンパクトに纏めて携帯性を高め、ケース内へのメカニカルキーの収容を忘れることがないようにする。【解決手段】ケース１３内でメカニカルキー１１に当接することで変位する移動部材４６と、該移動部材４６の変位によってスイッチング態様を変化するスイッチ４７とを備える検知手段４５が、メカニカルキー１１の収容状態を検知している状態でのみ発信ユニット２３の作動を許容し、ケース１３内に収容されたメカニカルキー１１を移動部材４６に当接させる側に付勢する弾発力を発揮する検知用弾発部材６８がケース１３の内面に取付けられる。【選択図】        図６
2015145599.tif 000002
【特許請求の範囲】
【請求項１】
開閉可能なケース（１３）と、ドア用ロック機構の施錠状態および解錠状態を切替える無線信号の発信を可能としつつ前記ケース（１３）とともに携帯機（１０）の一部を構成するようにして前記ケース（１３）に収容される発信ユニット（２３）と、前記ドア用ロック機構の施錠状態および解錠状態を機械的な操作に応じて切替えることを可能とするとともに前記ケース（１３）内に少なくとも一部が挿脱可能に収容されるメカニカルキー（１１）とで構成されるキーユニットにおいて、前記ケース（１３）内で前記メカニカルキー（１１）に当接することを可能とするとともに前記メカニカルキー（１１）の少なくとも一部の前記ケース（１３）内への収容状態および非収容状態で位置を変化するようにして前記ケース（１３）に変位可能に支持される移動部材（４６）と、該移動部材（４６）の変位によってスイッチング態様を変化するようにして前記発信ユニット（２３）に配設されるスイッチ（４７）とを備える検知手段（４５）が、前記メカニカルキー（１１）の収容状態を検知している状態でのみ前記発信ユニット（２３）の作動を許容するようにして前記携帯機（１０）に設けられ、前記ケース（１３）内に収容された前記メカニカルキー（１１）を前記移動部材（４６）に当接させる側に付勢する弾発力を発揮する検知用弾発部材（６８）が前記ケース（１３）の内面に取付けられることを特徴とするキーユニット。
【請求項２】
相互に対向する側を開放した皿状に形成されるとともに分離可能に結合される第１および第２ケース部材（１４，１５）で前記ケース（１３）の少なくとも一部が構成され、ユニットケース（２４）に収容される前記発信ユニット（２３）が第１ケース部材（１４）に収容、固定され、第２ケース部材（１５）に、前記メカニカルキー（１１）に弾発的に接触して該メカニカルキー（１１）を前記ユニットケース（２４）に押しつけることでばたつきを抑えるためのばたつき抑制用弾発部材（５４）が収容されるとともに、そのばたつき抑制用弾発部材（５４）を第２ケース部材（１５）との間に挟むようにして前記検知用弾発部材（６８）が取付けられることを特徴とする請求項１に記載のキーユニット。
【発明の詳細な説明】
【技術分野】
【０００１】
本発明は、開閉可能なケースと、ドア用ロック機構の施錠状態および解錠状態を切替える無線信号の発信を可能としつつ前記ケースとともに携帯機の一部を構成するようにして前記ケースに収容される発信ユニットと、前記ドア用ロック機構の施錠状態および解錠状態を機械的な操作に応じて切替えることを可能とするとともに前記ケース内に少なくとも一部が挿脱可能に収容されるメカニカルキーとで構成されるキーユニットに関する。
【背景技術】
【０００２】
メカニカルキーによる機械的な操作で施錠および解錠を切換可能とした住宅用ドアのロック機構に、携帯機による遠隔操作でも施錠および解錠を切換可能とするための電動駆動装置を後付けでドアに取付けるようにしたものが、特許文献１で知られており、このようなものでは、電動駆動装置の取付け前に使用していたメカニカルキーは基本的には不要となるのであるが、電動駆動装置の不調等に備えて緊急用にメカニカルキーを携帯しておいた方が安全である。そのため携帯機およびメカニカルキーをともに携帯するにあたって、別々にバッグやポケット内に収容するようにすると、嵩張ってしまい不便である。そこで特許文献２で開示されるように、携帯機およびメカニカルキーを１つのケース内に収容するようにしたものもある。
【先行技術文献】
【特許文献】
【０００３】
【特許文献１】実開平７−２５１７５号公報
【特許文献２】実用新案登録第３０９４６４８号公報
【発明の概要】
【発明が解決しようとする課題】
【０００４】
上記特許文献２で開示されるように、携帯機およびメカニカルキーを１つのケース内に収容すると便利ではあるが、ケース内へのメカニカルキーの収容を忘れ、緊急時の対処が困難となる可能性がある。
【０００５】
本発明は、かかる事情に鑑みてなされたものであり、携帯機およびメカニカルキーをコンパクトに纏めて携帯性を高めることができるようにした上に、ケース内へのメカニカルキーの収容を忘れることがないようにしたキーユニットを提供することを目的とする。
【課題を解決するための手段】
【０００６】
上記目的を達成するために、本発明は、開閉可能なケースと、ドア用ロック機構の施錠状態および解錠状態を切替える無線信号の発信を可能としつつ前記ケースとともに携帯機の一部を構成するようにして前記ケースに収容される発信ユニットと、前記ドア用ロック機構の施錠状態および解錠状態を機械的な操作に応じて切替えることを可能とするとともに前記ケース内に少なくとも一部が挿脱可能に収容されるメカニカルキーとで構成されるキーユニットにおいて、前記ケース内で前記メカニカルキーに当接することを可能とするとともに前記メカニカルキーの少なくとも一部の前記ケース内への収容状態および非収容状態で位置を変化するようにして前記ケースに変位可能に支持される移動部材と、該移動部材の変位によってスイッチング態様を変化するようにして前記発信ユニットに配設されるスイッチとを備える検知手段が、前記メカニカルキーの収容状態を検知している状態でのみ前記発信ユニットの作動を許容するようにして前記携帯機に設けられ、前記ケース内に収容された前記メカニカルキーを前記移動部材に当接させる側に付勢する弾発力を発揮する検知用弾発部材が前記ケースの内面に取付けられることを第１の特徴とする。
【０００７】
また本発明は、第１の特徴の構成に加えて、相互に対向する側を開放した皿状に形成されるとともに分離可能に結合される第１および第２ケース部材で前記ケースの少なくとも一部が構成され、ユニットケースに収容される前記発信ユニットが第１ケース部材に収容、固定され、第２ケース部材に、前記メカニカルキーに弾発的に接触して該メカニカルキーを前記ユニットケースに押しつけることでばたつきを抑えるためのばたつき抑制用弾発部材が収容されるとともに、そのばたつき抑制用弾発部材を第２ケース部材との間に挟むようにして前記検知用弾発部材が取付けられることを第２の特徴とする。
【発明の効果】
【０００８】
本発明の第１の特徴によれば、携帯機のケースが開閉可能に構成され、そのケース内に、メカニカルキーの少なくとも一部が収容されるので、携帯機およびメカニカルキーをコンパクトに纏めて携帯性を高めることができ、携帯機によるキーレスエントリーに不具合が生じても、ケースを開くことで通常時には携帯を意識していないが実際には携帯しているメカニカルキーを容易に取り出して、メカニカルキーによる機械的な操作でドア用ロック機構の施錠状態および解錠状態を切替えることができ、非常時に困ることがない。また検知手段がケース内へのメカニカルキーの収容状態を検知していない状態では発信ユニットの作動が不能となるので、ケース内へのメカニカルキーの収容を忘れることがなく、緊急時に必ず対処することができる。しかも検知手段が、メカニカルキーに当接可能としてケースに変位可能に支持される移動部材と、該移動部材の変位によってスイッチング態様を変化スイッチとを備えるものであり、メカニカルキーを移動部材に当接させる側に付勢する弾発力を発揮する検知用弾発部材がケースの内面に取付けられるので、メカニカルキーの厚さが薄くても該メカニカルキーのケースへの収容状態を確実に検知することができる。
【０００９】
また本発明の第２の特徴によれば、ばたつき抑制用弾発部材がメカニカルキーをユニットケースに押しつけることでケース内でのメカニカルキーのばたつきを抑えることが可能であり、しかも検知用弾発部材がばたつき抑制用弾発部材を第２ケース部材との間に挟むようにして第２ケース部材に取付けられるので、ばたつき抑制用弾発部材だけを取付ける作業を不要としつつ、分離可能に結合される第１および第２ケース部材を電池交換等のために開いたときに、ばたつき抑制用弾発部材が第２ケース部材から脱落してしまうことを防止することができる。
【図面の簡単な説明】
【００１０】
【図１】キーユニットの正面図である。
【図２】蓋部材を外した状態でのキーユニットの斜視図である。
【図３】メカニカルキーの収容状態での図１の３−３線断面図である。
【図４】ケース主部の分解斜視図である。
【図５】メカニカルキーの非収容状態での図３に対応した断面図である。
【図６】第１ケース部材およびマグネットホルダの分解斜視図である。
【図７】図３の７−７線断面図である。
【図８】図１の８−８線断面図である。
【図９】検知用弾発部材の斜視図である。
【発明を実施するための形態】
【００１１】
以下、本発明の実施の形態について添付の図１〜図９を参照しながら説明すると、先ず図１〜図３において、携帯機１０は、メカニカルキー１１と協働してキーユニット１２を構成するものであり、携帯機１０のケース１３の少なくとも一部は、相互に対向する側を開放した皿状に形成されるとともに分離可能に結合される合成樹脂製の第１および第２ケース部材１４，１５で構成され、この実施の形態では、第１および第２ケース部材１４，１５が結合されて成るとともに前記メカニカルキー１１の一部が収容されるケース主部１６と、該ケース主部１６からの前記メカニカルキー１１の突出部であるキーヘッド１１ａを覆うようにして前記ケース主部１６に着脱可能に取付けられる蓋部材１７とで、前記ケース１３が構成される。
【００１２】
図４を併せて参照して、第１ケース部材１４の開口端部の外周側には、周方向の一部が切欠かれた筒状に形成されて第２ケース部材１５側に突出する外側突部１４ａが一体に設けられ、第２ケース部材１５の開口端部の内周側には、周方向一部が切欠かれた筒状に形成されて第１ケース部材１４側に突出する内側突部１５ａが前記外側突部１４ａ内に嵌合するようにして一体に設けられる。しかも周方向複数箇所で前記外側突部１４ａの内周面に形成される係止凹部１８に弾発係合する複数の係合突部１９が前記内側突部１５ａの外周面の周方向複数箇所に突設される。
【００１３】
前記係止凹部１８に前記係合突部１９を弾発係合させるようにして前記外側突部１４ａに前記内側突部１５ａを嵌合することで、第１および第２ケース部材１４，１５が相互に結合されて前記ケース主部１６が構成される。しかも第１および第２ケース部材１４，１５の開口端縁には、相互に対応して外方に開口する差し込み凹部２０，２１が形成されており、それらの差し込み凹部２０，２１に差し込んだコイン等を捩じる操作を行うことで前記係止凹部１８への前記係合突部１９の弾発係合を解除して第１および第２ケース部材１４，１５を相互に分離させ、前記ケース主部１６を開放することが可能である。
【００１４】
図３および図５に注目して、前記ケース１３内には、たとえば住宅のドアに設けられるドア用ロック機構（図示せず）の施錠状態および解錠状態を切替える無線信号の発信を可能とした発信ユニット２３が収容されており、この実施の形態では、前記ケース１３の一部を構成するケース主部１６に発信ユニット２３が収容され、特に、ケース主部１６の第１ケース部材１４側に前記発信ユニット２３のユニットケース２４が収容される。
【００１５】
前記ユニットケース２４は、合成樹脂から成る第１および第２ユニットケース部材２５，２６が分離可能として相互に弾発係合されて成り、第２ユニットケース部材２６との間に電子部品収容室２７を形成するシールラバー２８の外周部が第１および第２ユニットケース部材２５，２６間に気密に挟持される。また前記シールラバー２８には、前記電子部品収容室２７内に収容される基板２９の外周部が嵌合支持されており、第２ユニットケース部材２６には、前記基板２９を支持する複数の支持突部２６ａが一体に突設される。また前記電子部品収容室２７内で前記基板２９および第２ユニットケース部材２６間にはボタン電池３０が収容、固定される。
【００１６】
前記ケース１３の前記ケース主部１６における第１ケース部材１４には、前記ケース主部１６内に一部が収容されたメカニカルキー１１の長手方向に間隔をあけた位置に配置される矩形状の第１および第２窓３１，３２が設けられており、第１および第２窓３１，３２に個別に対応した第１および第２開口部３３，３４が、前記ユニットケース２４の第１ユニットケース部材２５に設けられる。
【００１７】
前記基板２９の前記ボタン電池３０とは反対側の面には、押圧力の作用によってオン状態となる第１および第２スイッチ３５，３６が前記ユニットケース２４の第１および第２開口部３３，３４に個別に対応して取付けられており、前記シールラバー２８には、第１および第２スイッチ３５，３６に個別に当接する第１および第２押圧部２８ａ，２８ｂが、相互に独立して撓むことができるようにして形成される。
【００１８】
また第１窓３１および第１開口部３３には、第１押圧部２８ａに内端部を当接させる施錠用押しボタン３７が摺動可能に嵌合され、第２窓３２および第２開口部３４には、第２押圧部２８ｂに内端部を当接させる解錠用押しボタン３８が摺動可能に嵌合される。
【００１９】
メカニカルキー１１の一部が前記ケース主部１６に収容された状態で、施錠用押しボタン３７の操作に応じて第１スイッチ３５がオン状態になると、前記発信ユニット３１は、前記ドア用ロック機構を施錠状態とするための無線信号を発信し、前記解錠用押しボタン３８の操作に応じて第２スイッチ３６がオン状態になると、前記発信ユニット３１は、前記ドア用ロック機構を解錠状態とするための無線信号を発信する。
【００２０】
また前記ケース主部１６における第１ケース部材１４には、第１窓３１を第２窓３２との間に挟む位置に配置される小さな第３窓３９が設けられ、第３窓３９に対応した第３開口部４０が前記ユニットケース２４の第１ユニットケース部材２５に設けられる。
【００２１】
前記基板２９の前記ボタン電池３０とは反対側の面には、発信ユニット３１からの無線信号の発信時に発光する発光ダイオード４１が取付けられており、透光性を有する材料から成る前記シールラバー２８には、前記発光ダイオード４１からの光を導く導光部２８ｃが一体に設けられ、この導光部２８ｃは、その外端を第３窓３９に臨ませるようにして第３開口部４０および第３窓３９に嵌入される。
【００２２】
前記携帯機１０には、前記ケース１３における前記ケース主部１６内に前記メカニカルキー１１の一部が収容されたことを検知する検知手段４５が、前記メカニカルキー１１の一部が前記ケース主部１６に収容されている状態でのみ前記発信ユニット２３の作動を許容するようにして設けられる。
【００２３】
この検知手段４５は、前記ケース主部１６内で前記メカニカルキー１１に当接することを可能とするとともにメカニカルキー１１の一部の前記ケース主部１６内への収容状態および非収容状態で位置を変化するようにして前記ケース主部１６に変位可能に支持される移動部材としてのマグネットホルダ４６と、該マグネットホルダ４６の変位によってスイッチング態様を変化するようにして前記発信ユニット２３に配設されるスイッチ４７とを備えており、前記スイッチ４７は、前記マグネットホルダ４６に取付けられるマグネット４８がマグネットホルダ４６とともに変位するのに応じてスイッチング態様を変化させる近接スイッチであり、前記ユニットケース２４内の前記基板２９に取付けられる。
【００２４】
前記ケース主部１６における第１および第２ケース部材１４，１５間には、メカニカルキー１１の一部が前記ケース主部１６に収容されている状態ではメカニカルキー１１のキーヘッド１１ａ側を前記ケース主部１６から突出させる挿入口４９が形成されており、その挿入口４９の近傍で前記第１ケース部材１４に前記マグネットホルダ４６が摺動可能に支持される。
【００２５】
図６〜図８を併せて参照して、前記マグネットホルダ４６は、前記ケース主部１６内に収容されたメカニカルキー１１に第１ケース部材１４側から当接することを可能として前記発信ユニット２３のユニットケース２４における第２ユニットケース部材２６および前記メカニカルキー１１間に配置されるようにして略Ｔ字状に形成される平板状の当接板部４６ａと、前記当接板部４６ａの中央部に連なって第１ケース部材１４側に延びる筒状のばね収容筒部４６ｂと、ばね収容筒部４６ｂの両側に配置されて前記当接板部４６ａに連なるとともに前記ばね収容筒部４６ｂ側に開いた横断面略Ｕ字状の摺動ガイド部４６ｃ，４６ｃとを一体に有する。
【００２６】
一方、前記ケース主部１６の第１ケース部材１４には、前記ばね収容筒部４６ｂを摺動可能に嵌合させる嵌合筒部１４ｂと、前記摺動ガイド部４６ｃ，４６ｃを第１ケース部材１４の周壁と協働してガイドするガイド壁１４ｃ，１４ｃとが一体に設けられ、前記ばね収容筒部４６ｂ内に収容されるコイル状のばね５０がマグネットホルダ４６および第１ケース部材１４間に縮設される。したがってマグネットホルダ４６は、その当接板部４６ａを第２ケース部材１５に近接させる側にばね付勢されることになる。
【００２７】
前記マグネットホルダ４６は、前記ばね収容筒部４６ｂの両側で前記摺動ガイド部４６ｃ，４６ｃをそれぞれ横断するように配置される一対の壁部４６ｄ，４６ｄを一体に有しており、それらの壁部４６ｄ，４６ｄには、マグネットホルダ４６の摺動方向に長く延びる規制孔５１，５１が形成される。一方、第１ケース部材１４には、前記壁部４６ｄ，４６ｄの外側に配置されて前記マグネットホルダ４６の摺動方向で第１ケース部材１４側に延びる腕部１４ｄ，１４ｄが一体に設けられており、それらの腕部１４ｄ，１４ｄの先端に設けられる規制爪部１４ｅ，１４ｅが、前記規制孔５１，５１にスライド可能に挿入される。これにより前記マグネットホルダ４６の第２ケース部材１５側への移動端は、前記ケース主部１６にメカニカルキー１１が収容されていない状態で、前記規制爪部１４ｅ，１４ｅが前記規制孔５１，５１の第１ケース部材１４側の端縁に係合することで規制される。
【００２８】
前記マグネット４８は、前記当接板部４６ａのうち前記発信ユニット２３のユニットケース２４に第２ケース部材１５側から近接、対向する部分に取付けられる。
【００２９】
ところで前記ケース主部１６の第２ケース部材１５内には、メカニカルキー１１のうち前記ケース主部１６内に挿入される部分に弾発的に接触して前記メカニカルキー１１を発信ユニット２３のユニットケース２４に押しつけてばたつきを抑えるためのばたつき抑制用弾発部材５４が収容される。
【００３０】
このばたつき抑制用弾性部材５４は、メカニカルキー１１のうち前記ケース主部１６内に収容される部分の幅に対応した幅を有してメカニカルキー１１の長手方向に長い矩形の枠状に形成される弾発部材主部５４ａと、その弾発部材主部５４ａの前記挿入孔４９とは反対側の端部に一体に連なるとともに前記メカニカルキー１１の長手方向に斜めに交差するように傾斜しつつ前記発信ユニット２３と反対側に延びる弾発腕部５４ｂとを一体に有して、合成樹脂等の弾性材料によって形成される。
【００３１】
前記ばたつき抑制用弾性部材５４は、メカニカルキー１１の長手方向に平行に延びて第２ケース部材１５の内面に一体に突設されるガイド壁１５ｂ，１５ｂ内に嵌合されるものであり、両ガイド壁１５ｂ，１５ｂ間に前記ばたつき抑制用弾性部材５４が嵌合された状態で、前記弾発腕部５４ｂの先端部は第２ケース部材１５に当接され、前記弾発腕部５４ｂは、弾発部材主部５４ａを発信ユニット２３に近接させる側に変位させるような弾発力を発揮することができる。
【００３２】
前記弾発部材主部５４ａの両側壁の前部および後部の４箇所にはガイド突部５４ｃがそれぞれ突設されており、前記ガイド壁１５ｂ，１５ｂには、それらのガイド突部５４ｃを個別にスライド可能に嵌合させるガイド孔５５が、第２メカニカルキー１１Ｂの長手方向に直交する方向に長く延びるように形成される。
【００３３】
また弾発腕部５４ｂの先端部には両側に突出する位置決め突部５４ｄ，５４ｄが一体に設けられており、それらの位置決め突部５４ｄを前記メカニカルキー１１の長手方向両側から挟む一対ずつ２組の規制突部５６，５６が前記第２ケース部材１５に一体に突設される。
【００３４】
前記弾性部材主部５４ａの前記挿入口４９側の端部には、前記挿入口４９からメカニカルキー１１が挿入される際に、そのメカニカルキー１１の先端部に当接するガイド面５７が、メカニカルキー１１で押されることで前記ガイド部材主部５４ａを前記発信ユニット２３から離間する側に移動させるように傾斜して形成される。
【００３５】
前記弾性部材主部５４ａの前記発信ユニット２３側の面には、メカニカルキー１１に接触するゴム板５８が装着される。このゴム板５８は、前記弾性部材主部５４ａに対応して矩形の枠状に形成されるものであり、前記弾性部材主部５４ａに突設された一対の嵌合突起５９，５９を、前記ゴム板５８に設けられる嵌合孔６０，６０に嵌合することでゴム板５８が弾性部材５４に装着される。
【００３６】
前記ゴム板５８は、メカニカルキー１１に接触することで、メカニカルキー１１の挿脱方向へのスライドに対する摩擦抵抗を得ることができ、メカニカルキー１１の前記ケース主部１６内での不所望なスライド動作を抑制することが可能となる。
【００３７】
また前記発信ユニット２３におけるユニットケース２４の第２ユニットケース部材２６には、前記ガイド孔５５の前記発信ユニット２３側の端部に挿入される４つの突部２６ｂが一体に突設されており、これらの突部２６ｂで前記ガイド孔５５の前記発信ユニット２３側の端部が閉じられることにより、ケース主部１６内にメカニカルキー１１が収容されていない状態では、前記ガイド部材５４ａの前記ガイド突部５４ｃが、前記突部２６ｂに弾発的に当接することにおなり、ばたつき抑制用弾性部材５４がケース主部１６内でがたつくことはない。
【００３８】
前記ケース主部１６には、該ケース主部１６の外形よりも小さな外形を有して前記蓋部材１７側に突出する嵌合部６１が形成されており、この嵌合部６１は、第１ケース部材１４に一体に設けられて前記蓋部材１７側に突出する突部１４ｆと、第２ケース部材１５に一体に設けられて突出する突部１５ｃとで構成され、この嵌合部６１の突出端部に前記挿入口４９が形成される。
【００３９】
前記蓋部材１７は、前記嵌合部６１を開口端部に嵌合するようにして合成樹脂によって袋状に形成されており、この蓋部材１７の両側部に一体に形成されて前記ケース主部１６側に延出される係合腕部６２，６２の先端部に係合爪６３，６３が一体に形成される。一方、前記ケース主部１６における第１ケース部材１４には、前記係合腕部６２，６２の先端部を挿脱可能に挿入させ得る係止凹部６４，６４が、第２ケース部材１５側および前記蓋部材１７側に開放するようにして形成されており、この係止凹部６４，６４内に配置される係止部６５，６５が前記係合爪６３，６３を弾発的に係合することを可能として第１ケース部材１４に一体に形成される。
【００４０】
そして前記係合腕部６２，６２の先端部を前記係止凹部６４，６４内に挿入することで係合爪６３，６３が係止部６５，６５に弾発的に係合して蓋部材１７がケース主部１６に取付けられることになり、また蓋部材１７の前記ケース主部１６への取付け状態で前記係合腕部６２，６２を蓋部材１７の幅方向内方側に押えることによって、係合爪６３，６３の係止部６５，６５への弾発係合が解除され、蓋部材１７をケース主部１６から取り外すことができる。
【００４１】
図９を併せて参照して、前記ケース１３の前記ケース主部１６における第２ケース部材１５の内面には、前記ケース主部１６内に一部が収容された前記メカニカルキー１１を前記マグネットホルダ４６に当接させる側に付勢する弾発力を発揮する検知用弾発部材６８が取付けられる。
【００４２】
この検知用弾発部材６８は、第２ケース部材の１５の内面に当接する平板状の支持板部６８ａと、前記マグネットホルダ４６の前記当接板部４６ａとの間に前記メカニカルキー１１を挟むようにして該メカニカルキー１１の前記当接板部４６ａとは反対側の面に先端部を当接させる一対の当接部６８ｂ，６８ｂと、それらの当接板部６８ｂ，６８ｂの基端部を相互に連結する連結板部６８ｃと、前記連結板部６８ｃおよび前記支持板部６８ａの一端間を結ぶようにして円弧状に湾曲した一対の湾曲部６８ｄ，６８ｄと、前記ばたつき抑制用弾性部材５４における前記弾発腕部５４ｂの先端部を第２ケース部材１５との間に挟むようにして前記支持板部６８ａの他端に連設される押さえ板部６８ｅとを一体に有するように形成される。
【００４３】
前記支持板部６８ａの前記一端寄りの部分に形成される挿通孔６９には、第２ケース部材１５の内面に突設された支持突部７１が挿入され、前記挿通孔６９の周縁のうち前記押さえ板部６８ｅとの間に前記支持突部７１を挟む側の縁部には、前記支持突部７１の外周に前記マグネットホルダ４６および前記メカニカルキー１１とは反対側から食い込む爪部６８ｆが連設される。また前記支持板部６８ａの一端部、一対の前記湾曲部６８ｄ，６８ｄおよび前記連結板部６８ｃで矩形の窓７０が形成されるものであり、その窓７０の周縁部の一部を構成する前記支持板部６８ａの一端縁には、第２ケース部材１５が一体に有する前記突部１５ｃの内端に前記マグネットホルダ４６および前記メカニカルキー１１とは反対側から食い込む爪部６８ｇが連設される。すなわち前記検知用弾発部材６８は、その支持板部６８ａを第２ケース部材１５に押し込むことで第２ケース部材１５に固定される。
【００４４】
前記検知用弾発部材６８が第２ケース部材１５に固定された状態で、前記湾曲部６８ｄ，６８ｄを撓ませるようにして前記メカニカルキー１１が前記ケース主部１６に挿入されると、前記湾曲部６８ｄ，６８ｄが発揮する弾発力で、前記メカニカルキー１１が前記マグネットホルダ４６の前記当接板部４６ａに押しつけられることになる。また前記検知用弾発部材６８が第２ケース部材１５に固定された状態で、前記ばたつき抑制用弾性部材５４における前記弾発腕部５４ｂの先端部は、前記検知用弾発部材６８の前記押さえ板部６８ｅおよび第２ケース部材１５間に挟まれることになり、前記ばたつき抑制用弾性部材５４の第２ケース部材１５からの離脱も阻止されることになる。
【００４５】
次にこの実施の形態の作用について説明すると、携帯機１０のケース１３が開閉可能に構成され、そのケース１３内に、メカニカルキー１１の少なくとも一部が収容されるので、携帯機１０およびメカニカルキー１１をコンパクトに纏めて携帯性を高めることができ、携帯機１０によるキーレスエントリーに不具合が生じても、ケース１３を開くことで通常時には携帯を意識していないが実際には携帯しているメカニカルキー１１を容易に取り出して、メカニカルキー１１による機械的な操作でドア用ロック機構の施錠状態および解錠状態を切替えることができ、非常時に困ることがない。また検知手段４５がケース１３内へのメカニカルキー１１の収容状態を検知していない状態では発信ユニット２３の作動が不能となるので、ケース１３内へのメカニカルキー１１の収容を忘れることがなく、緊急時に必ず対処することができる。
【００４６】
しかも検知手段４５が、開閉可能なケース１３内でメカニカルキー１１に当接することを可能とするとともに前記メカニカルキー１１の少なくとも一部の前記ケース１３内への収容状態および非収容状態で位置を変化するようにして前記ケース１３に変位可能に支持されるマグネットホルダ４６と、該マグネットホルダ４６の変位によってスイッチング態様を変化するようにして発信ユニット２３に配設されるスイッチ４７とを備えるものであり、前記ケース１３内に収容された前記メカニカルキー１１を前記マグネットホルダ４６に当接させる側に付勢する弾発力を発揮する検知用弾発部材６８がケース１３の内面に取付けられるので、メカニカルキー１１の厚さが薄くても該メカニカルキー１１のケース１３への収容状態を確実に検知することができる。
【００４７】
また相互に対向する側を開放した皿状に形成されるとともに分離可能に結合される第１および第２ケース部材１４，１５でケース１３の少なくとも一部、この実施の形態ではケース１３の一部を構成するケース主部１６が構成され、ユニットケース２４に収容される発信ユニット２３が第１ケース部材１４に収容、固定され、第２ケース部材１５に、前記メカニカルキー１１に弾発的に接触して該メカニカルキー１１を前記ユニットケース２４に押しつけることでばたつきを抑えるためのばたつき抑制用弾発部材５４が収容されるとともに、そのばたつき抑制用弾発部材５４を第２ケース部材１５との間に挟むようにして前記検知用弾発部材６８が取付けられるので、ばたつき抑制用弾発部材５４だけを取付ける作業を不要としつつ、分離可能に結合される第１および第２ケース部材１４，１５を電池交換等のために開いたときに、ばたつき抑制用弾発部材５４が第２ケース部材１５から脱落してしまうことを防止することができる。
【００４８】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００４９】
１０・・・携帯機
１１・・・メカニカルキー
１２・・・キーユニット
１３・・・ケース
１４・・・第１ケース部材
１５・・・第２ケース部材
２３・・・発信ユニット
２４・・・ユニットケース
４５・・・検知手段
４６・・・移動部材であるマグネットホルダ
４７・・・スイッチ
５４・・・ばたつき抑制用弾発部材
６８・・・検知用弾発部材
【図１】
2015145599.tif 000003
【図２】
2015145599.tif 000004
【図３】
2015145599.tif 000005
【図４】
2015145599.tif 000006
【図５】
2015145599.tif 000007
【図６】
2015145599.tif 000008
【図７】
2015145599.tif 000009
【図８】
2015145599.tif 000010
【図９】
2015145599.tif 000011